(57)【要約】【課題】ガラスの押し上げ等による不正行為を確実に防止できるとともに、ガラスの交換を容易に行えるガラス枠の提供を目的とする。【解決手段】本発明に係るパチンコ機のガラス枠は、扉状のガラス枠本体２２の裏側にガラスＧ１，Ｇ２の端縁を支える枠状のガラス支持部２４を備えており、ガラス支持部２４の上端に形成された開放端部ＳからガラスＧ１，Ｇ２をそのガラス支持部２４に差し込んで、ガラスＧ１，Ｇ２をガラス枠本体２２に保持する構造のパチンコ機のガラス枠２０であって、ガラス支持部２４の開放端部Ｓを閉鎖可能な蓋板４０と、蓋板４０をガラス枠本体２２に連結する連結機構３５，４３ｙとを有しており、連結機構３５，４３ｙは、蓋板４０がガラス支持部２４の開放端部Ｓを閉鎖している状態でそのガラス支持部２４に対して所定位置まで後退可能、かつ所定位置で蓋板４０がガラス支持部２４の開放端部Ｓを開く方向に回動可能なように、その蓋板４０をガラス枠本体２２に連結していることを特徴とする。【選択図】　　　図１
2004065587.tif 000002
【特許請求の範囲】
【請求項１】
扉状のガラス枠本体の裏側にガラスの端縁を支える枠状のガラス支持部を備えており、前記ガラス支持部の上端に形成された開放端部から前記ガラスをそのガラス支持部に差し込んで、前記ガラスを前記ガラス枠本体に保持する構造のパチンコ機のガラス枠であって、
前記ガラス支持部の開放端部を閉鎖可能な蓋板と、
前記蓋板を前記ガラス枠本体に連結する連結機構とを有しており、
前記連結機構は、前記蓋板が前記ガラス支持部の開放端部を閉鎖している状態でそのガラス支持部に対して所定位置まで後退可能、かつ前記所定位置で前記蓋板が前記ガラス支持部の開放端部を開く方向に回動可能なように、その蓋板を前記ガラス枠本体に連結していることを特徴とするパチンコ機のガラス枠。
【請求項２】
請求項１に記載のパチンコ機のガラス枠であって、
連結機構には、蓋板をガラス支持部の開放端部の閉鎖位置に保持する弾性体が設けられていることを特徴とするパチンコ機のガラス枠。
【請求項３】
請求項１又は請求項２のいずれかに記載のパチンコ機のガラス枠であって、
連結機構は、
ガラス支持部の開放端部を長手方向から挟んだ状態で、ガラス枠本体の幅方向両側に配置された一対の支持部材と、
蓋板の長さ方向両端において、その蓋板に対してほぼ直角に形成された受け部材と、
前記支持部材と前記受け部材との間で、その支持部材と受け部材とを連結する長孔＆ピン機構とを有しており、
前記長孔＆ピン機構の長孔はパチンコ機の前後方向に沿って形成されており、その長孔＆ピン機構のピンは前記長孔に対してその長孔の長さ分だけ前後移動可能であり、
前記蓋板の受け部材が前記支持部材に対して後退限位置まで移動した段階で、前記ピンがその蓋板の回動中心となることを特徴とするパチンコ機のガラス枠。
【請求項４】
請求項３に記載のパチンコ機のガラス枠であって、
受け部材には、蓋板を支持部材に対して後退させ、あるいは回動させる際に使用される取っ手が設けられていることを特徴とするパチンコ機のガラス枠。
【発明の詳細な説明】
【０００１】
【発明の属する技術分野】
本発明は、扉状のガラス枠本体の裏側にガラスの端縁を支える枠状のガラス支持部を備えており、前記ガラス支持部の上端に形成された開放端部から前記ガラスをそのガラス支持部に差し込んで、前記ガラスを前記ガラス枠本体に保持する構造のパチンコ機のガラス枠に関する。
【０００２】
【従来の技術】
従来のパチンコ機のガラス枠を上方裏側から見た部分斜視図が図７（Ａ）に示されている。ガラス枠５０は、扉状のガラス枠本体５１と、そのガラス枠本体５１の裏側に二枚のガラスＧ（図７（Ｃ）参照）を取付けるためのガラス支持部５２とを備えている。ガラス支持部５２は内側に二本の平行な溝５２ｍ（図には後方の溝５２ｍのみ表されている）が形成された略Ｕ字形の枠状部材であり、それらの溝５２ｍに上方からガラスＧが差し込まれることにより、それらのガラスＧはガラス枠本体５１に取付けられる。
【０００３】
ガラス支持部５２の左右の上端部５２ｕの間にはガラスＧと干渉しない位置に梁状の仕切材５３が渡されている。仕切材５３の後端面長手方向にはヒンジ５４が設けられており、そのヒンジ５４に帯状の補強板５５が上下回動可能に連結されている（図７（Ｂ）参照）。補強板５５の端縁には折り曲げ片５５ａが形成されており、図７（Ｃ）に示すように、その折り曲げ片５５ａをガラス枠本体５１の係止部５１ａに上方から係合させることにより、そのガラス枠本体５１の上部及びガラス支持部５２が補強されるとともに、外側のガラスＧの上動が禁止される。
また、ガラスＧを交換するときには、補強板５５の折り曲げ片５５ａとガラス枠本体５１の係止部５１ａとの係合を解除することにより、ガラスＧをガラス枠本体５１から容易に取外すことができる。
【０００４】
【発明が解決しようとする課題】
しかし、上記したガラス枠５０では、補強板５５を上から下に回動させてその補強板５５の折り曲げ片５５ａをガラス枠本体５１の係止部５１ａに係合させる構造のため、その折り曲げ片５５ａと係止部５１ａとの上下方向の係合力は小さい。このため、例えば、ガラス枠本体５１の係止部５１ａとガラスＧとの間から薄い鉄板状の特殊工具を差し込んで補強板５５を強い力で押し上げると、補強板５５の折り曲げ片５５ａとガラス枠本体５１の係止部５１ａとの係合が外れることがある。両者５１ａ，５５ａの係合が外れると補強板５５は自由に上方回動が可能になるため、ガラスＧを手で押し上げられるようになり、不正行為が可能になる。
本発明は、上記問題点に鑑みなされたものであり、ガラスの押し上げ等による不正行為を確実に防止できるとともに、ガラスの交換を容易に行えるガラス枠の提供を目的とする。
【０００５】
【課題を解決するための手段】
上記した課題は、各請求項の発明によって解決される。
請求項１の発明は、扉状のガラス枠本体の裏側にガラスの端縁を支える枠状のガラス支持部を備えており、前記ガラス支持部の上端に形成された開放端部から前記ガラスをそのガラス支持部に差し込んで、前記ガラスを前記ガラス枠本体に保持する構造のパチンコ機のガラス枠であって、前記ガラス支持部の開放端部を閉鎖可能な蓋板と、前記蓋板を前記ガラス枠本体に連結する連結機構とを有しており、前記連結機構は、前記蓋板が前記ガラス支持部の開放端部を閉鎖している状態でそのガラス支持部に対して所定位置まで後退可能、かつ前記所定位置で前記蓋板が前記ガラス支持部の開放端部を開く方向に回動可能なように、その蓋板を前記ガラス枠本体に連結していることを特徴とする。
【０００６】
本発明によると、連結機構は、前記蓋板が前記ガラス支持部の開放端部を閉鎖している状態でそのガラス支持部に対して所定位置まで後退可能、かつ前記所定位置で前記蓋板が前記ガラス支持部の開放端部を開く方向に回動可能なように、その蓋板を前記ガラス枠本体に連結している。このため、ガラスを不正に押上げることを目的として、蓋板をガラス枠の表側から特殊工具で上方に押上げようとしても、連結機構の働きでその蓋板の押上げを有効に防止できる。また、仮に、特殊工具で蓋板を後退させたとしても、その蓋板を所定位置で回動させなければ、蓋板をガラス支持部の開放端部から外すことはできない。このため、不正行為を行なうのが困難であり、不正行為を有効に防止できるようになる。
なお、ガラス枠を開けば、蓋板を容易にガラス支持部の開放端部から外すことができるため、ガラスの交換を簡単に行なえる。
【０００７】
また、請求項２の発明によると、連結機構には、蓋板をガラス支持部の開放端部の閉鎖位置に保持する弾性体が設けられている。このため、蓋板をガラス支持部の開放端部を閉鎖する位置に確実にセットできるようになる。
【０００８】
また、請求項３の発明によると、連結機構は、ガラス支持部の開放端部を長手方向から挟んだ状態で、ガラス枠本体の幅方向両側に配置された一対の支持部材と、蓋板の長さ方向両端において、その蓋板に対してほぼ直角に形成された受け部材と、前記支持部材と前記受け部材との間で、その支持部材と受け部材とを連結する長孔＆ピン機構とを有しており、前記長孔＆ピン機構の長孔はパチンコ機の前後方向に沿って形成されており、その長孔＆ピン機構のピンは前記長孔に対してその長孔の長さ分だけ前後移動可能であり、前記蓋板の受け部材が前記支持部材に対して後退限位置まで移動した段階で、前記ピンがその蓋板の回動中心となる。即ち、長孔＆ピン機構により、蓋板を支持部材に対して後退させ、あるいは回動させることができるため、連結機構の構造が簡単であり、コスト低減を図ることができる。
【０００９】
また、請求項４の発明によると、受け部材には、蓋板を支持部材に対して後退させ、あるいは回動させる際に使用される取っ手が設けられているため、蓋板を支持部材の開放端部から外す際の操作性が向上する。
【００１０】
【発明の実施の形態】
以下、図１から図６に基づいて本発明の実施形態１に係るパチンコ機のガラス枠について説明する。ここで、図１はガラス枠の縦断面図等、図２はガラス枠の裏面図等、図３はガラス枠の連結機構の動作を表す側面図である。また、図４、図５はガラス枠の部品図、図６はガラス枠を開いた状態のパチンコ機の全体斜視図である。なお、パチンコ機の幅方向をＸ方向、前後方向をＹ方向、高さ方向をＺ方向として図示する。
【００１１】
パチンコ機１０は、図６に示すように、そのパチンコ機１０のケースとなる機台枠１１を備えており、その機台枠１１に表枠１２が扉状に開閉可能に取付けられている。表枠１２は図示されていない遊技盤や制御装置等、パチンコ機の主要部品が取付けられる枠であり、その表枠１２の表面に遊技盤を覆うガラス枠２０及び玉受け皿等を有する前板１４が扉状に開閉可能に取付けられている。
【００１２】
ガラス枠２０は、図１、図２に示すように、扉状のガラス枠本体２２と、二枚の角形ガラスＧ１，Ｇ２と、それらの角形ガラスＧ１，Ｇ２をガラス枠本体２２の裏側で支持するガラス支持部２４とを備えている。ここで、図１（Ａ）は図２（Ａ）に示すガラス枠２０の裏面図のＩＡ−　ＩＡ矢視断面図、図１（Ｂ）は同裏面図のＩＢ−　ＩＢ矢視断面図、図１（Ｃ）は同裏面図のＩＣ−　ＩＣ矢視断面図である。また、図２（Ｂ）は図２（Ａ）のＢ矢視拡大図、図２（Ｃ）は図２（Ａ）のＣ矢視拡大図である。
ガラス枠本体２２は、その表面２２ｆに、例えば、樹脂製の化粧板（図示されていない）が取付けられるように構成されており、中央部分に角形の枠開口２２ｈが形成されている。
【００１３】
ガラス枠本体２２の裏側には、角形ガラスＧ１，Ｇ２を支持するガラス支持部２４が設けられている。
ガラス支持部２４は、角形ガラスＧ１，Ｇ２の左右側縁と下縁を支えることでそれらの角形ガラスＧ１，Ｇ２をガラス枠本体２２の枠開口２２ｈの位置に保持するように構成されている。ガラス支持部２４は、図１及び図２（Ａ）に示すように、枠開口２２ｈの縦辺に沿って形成された左右の縦レール２４ｕと、その枠開口２２ｈの下辺に沿って形成された下レール２４ｄとによって略Ｕ字形に形成されている。
【００１４】
縦レール２４ｕ及び下レール２４ｄは、図１（Ａ）、（Ｃ）等に示すように、横断面が波形状に形成された帯板であり、各々のレール２４ｕ，２４ｄに角形ガラスＧ１，Ｇ２の側縁と下縁とが差し込まれる第一収納溝２４ｍと第二収納溝２４ｎとが平行に形成されている。
【００１５】
第一収納溝２４ｍは断面Ｌ字形に形成されており、角形ガラスＧ１の左右端面、下端面及び裏面を支持できるように構成されている。なお、角形ガラスＧ１の前面は、図示されていない化粧板の開口縁によって支持される。
第二収納溝２４ｎは、断面略Ｕ字形に形成されており、第一収納溝２４ｍから一定寸法だけ後方に位置決めされている。この第二収納溝２４ｎによって角形ガラスＧ２の左右端面、下端面及び前面と裏面とが支持される。
【００１６】
上記構成により、ガラス支持部２４の上端側から第一収納溝２４ｍ、第二収納溝２４ｎにそれぞれ角形ガラスＧ１，Ｇ２を差し込むことにより、角形ガラスＧ１，Ｇ２をガラス枠本体２２の枠開口２２ｈの位置に保持することができる。
即ち、ガラス支持部２４の上辺に相当する部分が、本発明のガラス支持部の開放端部Ｓに相当する。
【００１７】
ガラス枠本体２２の裏側上部には、ガラス支持部２４における左右の縦レール２４ｕの外側に、支持部材３０が取付けられている（図２参照）。両支持部材３０は左右対称に形成されており、右側（図２（Ａ）において右側）の支持部材３０の固定板３２が左側の支持部材３０の固定板３２よりも幅広に形成されている。なお、左右の支持部材３０の構造は、固定板３２のサイズを除いて全く等しいため、代表して左側の支持部材３０の説明を行なう。
【００１８】
支持部材３０は、図５（Ａ）、（Ｂ）の部品図に示すように、固定板３２と、その固定板３２に対して直角に折り曲げられた支持板３４とによって、平面Ｌ字形に形成されている。なお、図５（Ａ）は支持部材３０の背面図であり、図５（Ｂ）は図５（Ａ）のＢ−Ｂ矢視図（側面図）である。また、図５（Ｃ）は右側の支持部材３０の側面図であり、図５（Ｄ）は図５（Ｃ）のＤ−Ｄ矢視図（背面図）である。
固定板３２は、支持部材３０をガラス枠本体２２の裏面２２ｂに固定するための板であり、図２（Ａ）等に示すように、ガラス枠本体２２の裏面２２ｂに面接触した状態で、例えば、リベット等により、ガラス枠本体２２に固定される。
【００１９】
支持板３４は、後記する蓋板４０を支持する板であり、図５（Ｂ）に示すように、縦長の略長方形状に形成されて、ガラス枠本体２２の裏側から後方に突出している。左右の支持部材３０の支持板３４は、ガラス支持部２４の左右の縦レール２４ｕをガラス枠本体２２の幅方向（Ｘ方向）両側から挟むように位置決めされている。ここで、支持板３４の幅寸法は、図１（Ｂ）に示すように、ガラス支持部２４の幅寸法よりも若干小さな幅寸法に設定されている。また、支持板３４の上端面３４ｕは、固定板３２がガラス枠本体２２の規定位置に取付けられた状態で、ガラス支持部２４に装着された角形ガラスＧ１，Ｇ２の上端面とほぼ等しい高さ位置に位置決めされる。
【００２０】
支持板３４の中央上部には角形開口３４ｈが形成されおり、その角形開口３４ｈの下側に連結ピン３５が固定されている。連結ピン３５は、支持板３４の外側面３４ｅから直角（Ｘ方向）に突出しており、軸部３５ｊの先端に大径の頭部３５ａが形成されている。
左右の支持板３４には、ガラス支持部２４の開放端部Ｓを閉鎖する蓋板４０が連結されている。
【００２１】
次に、図４の部品図に基づいて蓋板４０の構成を説明する。ここで、図４（Ａ）は蓋板４０の平面図であり、図４（Ｂ）は蓋板の背面図、図４（Ｃ）は図４（Ｂ）のＣ矢視図（側面図）である。また、図４（Ｄ）は蓋板４０で使用される板バネ４９の全体図である。
蓋板４０は、図４（Ａ）、（Ｂ）に示すように、帯板状の梁部４１と、その梁部４１の両端で梁部４１に対して直角下側に折り曲げられた受け板部４３とから、背面視において略逆「Ｕ」字形に形成されている。
【００２２】
梁部４１は、平板部４１ｆと、その平板部４１ｆに対して直角上側に折り曲げられた後端縁部４１ｅとから構成されており、その平板部４１ｆに梁部４１の強度を確保するための突条４１ｔが長手方向に形成されている。また、梁部４１の長さ寸法は、左側の支持板３４の外側面３４ｅから右側の支持板３４の外側面３４ｅまでの距離とほぼ等しい値に設定されている。さらに、梁部４１の幅寸法は、支持板３４の幅寸法とほぼ等しい値に設定されている。
【００２３】
蓋板４０の左右の受け板部４３は、左右の支持部材３０の支持板３４とほぼ同じ形状で、ほぼ同じサイズに形成されており、左右の支持板３４に対して外側から重ねられるように構成されている。
上記構成により、蓋板４０の梁部４１が左右の支持板３４の上端面３４ｕに載置され、さらにその蓋板４０の左右の受け板部４３が左右の支持板３４に対して外側から重ねられた状態で、蓋板４０の梁部４１はガラス支持部２４に装着された角形ガラスＧ１，Ｇ２の上端面にほぼ当接し、そのガラス支持部２４の開放端部Ｓを閉鎖するようになる。
【００２４】
蓋板４０の受け板部４３には、支持板３４の角形開口３４ｈと等しいサイズの角形開口４３ｅが形成されており、その蓋板４０がガラス支持部２４の開放端部Ｓを閉鎖している状態で、受け板部４３の角形開口４３ｅと支持板３４の角形開口３４ｈとが重複する。また、受け板部４３には、支持板３４の連結ピン３５に対応する位置にその連結ピン３５の軸部３５ｊが通される横長孔４３ｙが形成されている。ここで、横長孔４３ｙの位置は、蓋板４０がガラス支持部２４の開放端部Ｓを閉鎖している状態（ロック状態）で、連結ピン３５の軸部３５ｊが横長孔４３ｙの後端面４３ｚに当接する位置に位置決めされている（図１（Ｂ）等参照）。
【００２５】
このため、蓋板４０の受け板部４３は、前記ロック状態の位置から横長孔４３ｙの長さ分だけ支持部材３０の支持板３４に対して後退可能となる。即ち、蓋板４０の受け板部４３が後退限位置まで後退した状態で、連結ピン３５の軸部３５ｊは横長孔４３ｙの前端面４３ｘに当接するようになる（図３（Ａ）、（Ｃ）参照）。
ここで、横長孔４３ｙの長さ寸法は、蓋板４０が左右の連結ピン３５を中心に下回動可能な位置まで後退できる寸法に設定されている。そして、蓋板４０が後退限位置で左右の連結ピン３５を中心に下回動することで、蓋板４０の梁部４１がガラス支持部２４の開放端部Ｓから離れ、そのガラス支持部２４の開放端部Ｓが開放される（ロック解除状態）。
なお、蓋板４０が後退限位置まで到達していない状態では、蓋板４０の梁部４１が支持部材３０の支持板３４等と干渉して、その蓋板４０の回動は禁止される。
即ち、横長孔４３ｙと連結ピン３５とが本発明の連結機構における長孔＆ピン機構に相当し、受け板部４３が本発明の連結機構の受け部材に相当する。
【００２６】
蓋板４０の左右の受け板部４３には、その受け板部４３の角形開口４３ｅから半円筒状に突出して支持板３４の角形開口３４ｈと係合する板バネ４９が固定されている。即ち、蓋板４０は、板バネ４９のバネ力で、ガラス支持部２４の開放端部Ｓを閉鎖する位置（ロック位置）に保持される。このため、板バネ４９が本発明の弾性体に相当する。
また、蓋板４０の左右の受け板部４３には、その蓋板４０を手動で前進後退、あるいは回動させる際に使用される取っ手４６が折り曲げ形成されている。
【００２７】
次に、上記したガラス枠２０に対する角形ガラスＧ１，Ｇ２の装着手順について順番に説明する。
先ず、ガラス枠２０を開いた状態で、そのガラス枠２０の裏側から取っ手４６により蓋板４０の受け板部４３を後方に引っ張る。これによって、板バネ４９のバネ力に抗して、蓋板４０が、図３（Ｂ）〜図３（Ｃ）に示すように、支持部材３０の支持板３４に対して横長孔４３ｙの長さ分だけ後方に移動する。この結果、受け板部４３の板バネ４９が支持板３４の角形開口３４ｈから外れ、蓋板４０の受け板部４３は支持部材３０の支持板３４に対して連結ピン３５を中心に回動可能となる。次に、図３（Ｄ）〜図３（Ｆ）に示すように、取っ手４６を下方に引っ張りながら、蓋板４０の受け板部４３は支持部材３０の支持板３４に対して下方に回動させる。これによって、蓋板４０の梁部４１がガラス支持部２４の開放端部Ｓから離れ、ガラス支持部２４の開放端部Ｓが開かれる。
【００２８】
次に、表側の角形ガラスＧ１を前記化粧板とガラス支持部２４の第一収納溝２４ｍとの間に上方から差し込み、その角形ガラスＧ１をガラス枠本体２２の枠開口２２ｈの位置に支持する。次に、奥側の角形ガラスＧ２をガラス支持部２４の第二収納溝２４ｎに上方から差し込み、その角形ガラスＧ２を表側の角形ガラスＧ１と平行にガラス枠本体２２の枠開口２２ｈの位置に支持する。なお、表側の角形ガラスＧ１と奥側の角形ガラスＧ２との挿入順序は逆であっても良い。
【００２９】
このようにして、二枚の角形ガラスＧ１，Ｇ２をガラス枠本体２２にセットした後、上記とは逆に蓋板４０の受け板部４３を支持部材３０の支持板３４に対して上方に回動させる。そして、蓋板４０の梁部４１が、図３（Ａ）に示すように、支持板３４の上端面３４ｕに載置された状態で、取っ手４６により蓋板４０の受け板部４３を前方に押込んで板バネ４９を支持板３４の角形開口３４ｈに係合させる（図３（Ｂ）参照）。これによって、蓋板４０の梁部４１がガラス支持部２４の開放端部Ｓを閉鎖し、蓋板４０は板バネ４９のバネ力でこの位置（ロック位置）に保持される。
【００３０】
このように、本実施形態に係るパチンコ機のガラス枠２０によると、上記した連結機構は、蓋板４０がガラス支持部２４の開放端部Ｓを塞いだ状態でそのガラス支持部２４に対して所定位置まで後退可能、かつ所定位置で蓋板４０がガラス支持部２４の開放端部ｓから外れる方向に回動可能なように、その蓋板４０をガラス枠本体２２に連結している。このため、角形ガラスＧ１，Ｇ２を不正に押上げることを目的として、蓋板４０をガラス枠２０の表側から特殊工具で上方に押上げようとしても、前記連結機構の働きでその蓋板４０が押上げられることがない。また、仮に、特殊工具で蓋板４０を後退させたとしても、その蓋板４０を後退限位置で回動させなければ、蓋板４０をガラス支持部２４の開放端部Ｓから外すことはできない。このため、不正行為を行なうのが困難になり、不正行為を有効に防止できる。
なお、ガラス枠２０を開けば、蓋板４０を容易にガラス支持部２４の開放端部Ｓから外すことができるため、角形ガラスＧ１，Ｇ２の交換を簡単に行なえる。
【００３１】
本実施形態では、板バネ４９を使用して蓋板４０をロック位置に保持する例を示したが、板バネ４９の代わりに蓋板４０を支持部材３０にネジ止めする方法も可能である。
また、一個の蓋板４０でガラス支持部２４の開放端部Ｓを塞ぐ方法を説明したが、その蓋板４０を左右に分割することも可能である。
【００３２】
【発明の効果】
本発明によると、特殊工具によってガラス枠の外側から蓋板を上方に押し上げようとしても蓋板が動かず、ガラスが不正に押上られる等のトラブルが生じない。なお、ガラス枠を開けば、ガラスをガラス支持部から容易に引き抜くことができる。
【図面の簡単な説明】
【図１】本発明の実施形態１に係るパチンコ機のガラス枠の縦断面図（図２（Ａ）のＩＡ−ＩＡ矢視断面図（Ａ図））、側面図（図２（Ａ）のＩＢ　−ＩＢ矢視断面図（Ｂ図））、及び平断面図（図２（Ａ）のＩＣ　−ＩＣ矢視断面図（Ｃ図）である。
【図２】ガラス枠の裏面図（Ａ図）、図２（Ａ）のＢ矢視拡大図（Ｂ図）、及び図２（Ａ）のＣ矢視拡大図（Ｃ図）である。
【図３】ガラス枠の連結機構の動作を表す側面図（Ａ図〜Ｅ図）である。
【図４】ガラス枠の蓋板の平面図（Ａ図）、蓋板の背面図（Ｂ図）、Ｂ図のＣ矢視図（側面図（Ｃ図））、及び蓋板で使用される板バネの全体図（Ｄ図）である。
【図５】左側の支持部材の背面図（Ａ図）、Ａ図のＢ−Ｂ矢視図（側面図（Ｂ図））、右側の支持部材の側面図（Ｃ図）、及びＣ図のＤ−Ｄ矢視図（背面図）である。
【図６】ガラス枠を開いた状態のパチンコ機の全体斜視図である。
【図７】従来のガラス枠の上部斜視図（Ａ図）、要部斜視図（Ｂ図）及び横断面図（Ｃ図）である。
【符号の説明】
Ｇ１　　角形ガラス
Ｇ２　　角形ガラス
Ｓ　　　開放端部
２０　　ガラス枠
２２　　ガラス枠本体
２４　　ガラス支持部
２４ｕ　縦レール
２４ｄ　下レール
３０　　支持部材（連結機構）
３４　　支持板
３５　　連結ピン（長孔＆ピン機構）
４０　　蓋板
４３　　受け板部（受け部材）
４３ｙ　横長孔（長孔＆ピン機構）
４６　　取っ手
４９　　板バネ（連結機構）
【図１】
2004065587.tif 000003
【図２】
2004065587.tif 000004
【図３】
2004065587.tif 000005
【図４】
2004065587.tif 000006
【図５】
2004065587.tif 000007
【図６】
2004065587.tif 000008
【図７】
2004065587.tif 000009